(57)【要約】【課題】車両後方への配光量および導光レンズ前面における発光量が増えるサイドターンシグナルランプを提供。【解決手段】サイドミラー本体14を支持するハウジング10と、ハウジング10の外側壁11に設けた左右に延びる開口部12と、ハウジング10の内外にその光入出射端部21a,21bが位置し開口部12からその前面側22が露呈するように配設した導光レンズ21と、導光レンズ21の光入射端部21aに配置したＬＥＤ32と、を備えたサイドターンシグナルランプで、ＬＥＤ32をプリント基板31に搭載してＬＥＤアッシー30を構成し、導光レンズ21の基端部側に、光入射端部21aを取り囲む光源収容室S1を形成する立壁状の枠23を一体成形し、ＬＥＤアッシー30を収容一体化したキャップ34が凹凸ランス係合により枠23に取着されて、プリント基板31が枠23側のボスに係合し、ＬＥＤ32が光入射端部21aに対し位置決めされるように構成した。【選択図】  図４
2010260545.tif 000002
【特許請求の範囲】
【請求項１】
サイドミラー本体を支持するサイドミラーハウジングと、前記ハウジングの湾曲する外側壁に設けられた左右に延びる開口部と、前記ハウジングの内外にその光入出射端部が配置されて前記開口部からその湾曲する前面側が露呈するように組み付けられた導光レンズと、前記導光レンズの光入射端部近傍に配置された光源であるＬＥＤと、を備えたサイドターンシグナルランプにおいて、
前記光源は、ＬＥＤを搭載したプリント基板を備えたＬＥＤユニットアッシーとして構成され、
前記導光レンズの基端部側には、前記光入射端部を取り囲む光源収容室を形成する立壁状の枠が一体成形されるとともに、前記ＬＥＤユニットアッシーを収容一体化したキャップが凹凸ランス係合により前記枠に取着されて、前記プリント基板が前記枠側のボスに係合し、前記ＬＥＤが前記導光レンズの光入射端部に対し位置決めされたことを特徴とするサイドターンシグナルランプ。
【請求項２】
前記凹凸ランス係合部は、前記枠の外周複数箇所に設けられた掛止部と、前記キャップの側壁に設けられた、前記掛止部に対応するフックで構成されるとともに、前記枠の先端部と前記キャップ天上壁間にＯリングが介装されて、前記光源収容室が密閉されたことを特徴とする請求項１に記載のサイドターンシグナルランプ。
【請求項３】
前記導光レンズは、その光入射端部の近傍内側にのみ縦方向に延びるシリンドリカルステップが設けられた素通し状に形成されるとともに、
前記導光レンズの周縁部に周設されたシール脚がその前面に反射処理を施した背面壁に溶着されて、前記導光レンズと前記背面壁との間に所定の隙間の密閉空間が形成され、前記光源収容室は、前記導光レンズに設けた連通孔を介して前記密閉空間と連通し、かつ前記キャップに設けた呼吸孔を介して外部と連通することを特徴とする請求項１または２に記載のサイドターンシグナルランプ。
【発明の詳細な説明】
【技術分野】
【０００１】
本発明は、自動車のサイドミラーに内蔵一体化されたサイドターンシグナルランプに関する。
【背景技術】
【０００２】
この種の第１の従来技術として下記特許文献１があり、ここでは、図６に示すように、サイドミラー本体２を支持するハウジング１の外側壁に左右に延びる開口部１ａが設けられ、背面壁１ｂに支持された導光部材である光ファイバー４が開口部１ａに沿って配設され、光源であるＬＥＤ３の発光が光ファイバー４内に導かれて光出射端部４ａから車両後方に配光される。さらに開口部１ａの外側には、光ファイバー４を覆う発光膜５が設けられており、ＬＥＤ３の点灯に合わせて発光膜５全体が発光して、車両側方からも視認できる。
【０００３】
この種の第２の従来技術として下記特許文献２があり、ここでは、図７に示すように、サイドミラー本体（図示せず）を支持するハウジング１の外側壁に左右に延びる開口部１ａが設けられ、背面壁１ｂに支持された導光レンズ６が開口部１ａに沿って配設され、ＬＥＤ３の発光が導光レンズ６内に導かれて光出射端部６ａから車両後方に配光されるとともに、導光レンズ６全体がわずかに発光して、車両側方からも視認できる。さらに導光レンズ６の長手方向途中には、背面壁１ｂに支持された第２のＬＥＤ７が設けられ、導光レンズ６を介しての車両後方への配光量不足および導光レンズ６前面における発光量不足を補うことができる。
【先行技術文献】
【特許文献】
【０００４】
【特許文献１】特開２０００-１０３２８７号
【特許文献２】特開２００３-６３３０４号
【発明の概要】
【発明が解決しようとする課題】
【０００５】
しかし、前記した第１の従来技術では、導光部材として光ファイバー４を使用しているが、光ファイバー４は高価である上に、側方からの衝撃力に弱いので、光ハイバー４を覆う合成樹脂製の保護カバー（図示せず）を必要とし、さらに、漏光がほとんどない光ファイバー４の開口部１ａ側には、車両側方に向け発光する発光膜５を必要とし、発光膜５および合成樹脂製の保護カバーを装備する分、構造が複雑となる。
【０００６】
また、第２の従来技術では、導光部材としての導光レンズ６は、側方からの耐衝撃性に優れるものの、光ファイバーに比べると漏光量が多く、漏光の一部は背面壁１ｂで吸収されてしまって、車両後方への配光量や導光レンズ６前面における発光量がそれだけ少ないため、第２のＬＥＤ７を設けて車両後方への配光量不足および導光レンズ６前面における配光量不足を補う必要があり、構造が複雑となる。さらに、導光レンズ６の第２のＬＥＤ７配設位置が特に明るく見えて、側方からの被視認性も悪いという問題もある。
【０００７】
また、第1，第２の従来技術のいずれにおいても、非点灯時のサイドターンシグナルランプに奥行き感がなく、見栄えが悪いという問題もある。
【０００８】
そこで、発明者は、導光レンズの裏面に反射面を形成（アルミ蒸着処理または反射塗装処理）し、導光レンズ裏面からの漏光を防止することで、車両後方への配光量および導光レンズ前面における発光量を上げようと考えた。しかし、導光レンズの裏面にアルミ蒸着反射面を形成した場合には、導光レンズの裏面が荒れた粗面となってレンズの内面反射光が散乱し、また塗装反射面を形成した場合には、反射塗装膜と導光レンズの屈折率が近いため導光レンズ裏面からの透過光が増え、いずれの場合も導光レンズの導光効率が下がって、サイドターンシグナルランプ本来の機能である車両後方への配光量が低下してしまった。
【０００９】
そこで、導光レンズの背後に配設する背面壁に反射面を形成（アルミ蒸着処理または塗装処理）し、導光レンズから背面壁（の反射面）を離間させて配置したところ、導光レンズ裏面に反射面を形成した場合に比べて、導光レンズの導光効率が上がり、車両後方への配光量が増えるとともに、導光レンズ前面における発光量も増え、さらに、非点灯時のサイドターンシグナルランプに奥行き感も出ることが確認されたので、この度、本発明を提案するに至ったものである。
【００１０】
本発明は、前記従来技術の問題点および発明者の前記した知見に基づいてなされたもので、その目的は、車両後方への配光量および導光レンズ前面における発光量が増えるとともに、非点灯時に奥行き感があって見栄えのよいサイドターンシグナルランプを提供することにある。
【課題を解決するための手段】
【００１１】
車両後方への配光量および導光レンズ前面における発光量が増えるサイドターンシグナルランプを提供するという第1の目的を達成するために、請求項１に係るサイドターンシグナルランプにおいては、サイドミラー本体を支持するサイドミラーハウジングと、前記ハウジングの湾曲する外側壁に設けられた左右に延びる開口部と、前記ハウジングの内外にその光入出射端部が配置されて前記開口部からその湾曲する前面側が露呈するように組み付けられた導光レンズと、前記導光レンズの光入射端部近傍に配置された光源であるＬＥＤと、を備えたサイドターンシグナルランプにおいて、
前記光源は、ＬＥＤを搭載したプリント基板を備えたＬＥＤユニットアッシーとして構成し、
前記導光レンズの基端部側には、前記光入射端部を取り囲む光源収容室を形成する立壁状の枠を一体成形するとともに、前記ＬＥＤユニットアッシーを収容一体化したキャップを凹凸ランス係合により前記枠に取着して、前記プリント基板を前記枠側のボスに係合させて、前記ＬＥＤが前記導光レンズの光入射端部に対し位置決めされるように構成した。
【００１２】
（作用）光入射端部から導光レンズに入射したＬＥＤの発光のほとんどの光は、内面反射を繰り返して導光レンズの先端側に導かれ、光出射端部から車体後方に出射配光され、光入射端部から導光レンズに入射したＬＥＤの発光の一部は、導光レンズの前面側から車体側方に放射されて、導光レンズの前面側がほんのりと発光する。
【００１３】
導光レンズの基端部の立壁状の枠に、ＬＥＤユニットアッシーを収容一体化したキャップを凹凸ランス係合により取着すれば、ＬＥＤを搭載したプリント基板が立て壁状の枠側のボスに係合して、導光レンズの光入射端部に対しＬＥＤが自動的に位置決めされる。
【００１４】
また、導光レンズの基端部に、ＬＥＤユニットアッシーを収容一体化したキャップを取着してサイドターンシグナルランプとして一体化したものを、サイドミラーハウジングに組み付けることで、サイドミラーに一体化することができる。即ち、サイドターンシグナルランプをサイドミラーに対し簡単に装脱着できる。
【００１５】
また、請求項２においては、請求項１に記載のサイドターンシグナルランプにおいて、前記凹凸ランス係合部を、前記枠の外周複数箇所に設けられた掛止部と、前記キャップの側壁に設けられた、前記掛止部に対応するフックで構成するとともに、前記枠の先端部と前記キャップ天上壁間にＯリングを介装して、前記光源収容室を密閉するように構成した。
【００１６】
（作用）光入射端部を取り囲む光源収容室は、立壁状の枠の先端部とキャップ天上壁間に介装されたＯリングによって、密閉された形態に保持される。
【００１７】
非点灯時に奥行き感があって見栄えのよいサイドターンシグナルランプを提供するという第２の目的を達成するために、請求項３においては、請求項１または２に記載のサイドターンシグナルランプにおいて、前記導光レンズを、その光入射端部の近傍内側にのみ縦方向に延びるシリンドリカルステップを設けた素通し状に形成するとともに、前記導光レンズの周縁部に周設したシール脚をその前面に反射処理を施した背面壁に溶着して、前記導光レンズと前記背面壁との間に所定の隙間の密閉空間を形成し、前記光源収容室を、前記導光レンズに設けた連通孔を介して前記密閉空間と連通し、かつ前記キャップに設けた呼吸孔を介して外部と連通するように構成した。
【００１８】
（作用）導光レンズに周設されたシール脚と背面壁が溶着されることで、導光レンズと反射面間に密閉空間が形成されて、該密閉空間への水や塵の侵入が阻止されるとともに、サイドターンシグナルランプに作用する振動や衝撃力に対する剛性が高められている。
【００１９】
また、光入射端部から導光レンズに入射したＬＥＤの発光のほとんどの光は、内面反射を繰り返して導光レンズの先端側に導かれ、光出射端部から車体後方に出射配光され、光入射端部から導光レンズに入射したＬＥＤの発光の一部は、導光レンズの前面側から車体側方に放射されて、導光レンズの前面側がほんのりと発光するという作用において、特に、請求項３では、導光レンズの裏面は屈折率が大きく異なる（屈折率の小さい）空気層に接しているため、導光レンズ裏面に反射処理（反射塗装）を施した場合に比べて、導光レンズの裏面からの漏光が少ない分、導光レンズの導光効率が上がる。また、導光レンズ裏面に反射処理（アルミ蒸着処理）を施した場合に比べて、導光レンズの内面反射光が散乱しない分、導光レンズの導光効率が上がる。
【００２０】
また、導光レンズの裏面からの漏光は、背面壁の反射面で反射されて導光レンズに入射し、この入射光の一部は導光レンズの光出射端部から出射して、車両後方への配光量を高めるように作用し、入射光の一部は導光レンズの前面から出射して、導光レンズ前面における発光量を高めるように作用する。
【００２１】
また、導光レンズと背面壁の反射面との間に設けられた所定の隙間（空間）は、非点灯時のサイドターンシグナルランプに奥行き感を与えるように作用する。
【００２２】
なお、導光レンズ裏面と背面壁の反射面の離間距離としては、大きく離間させるほどランプの奥行き感が増して好ましいが、サイドミラーハウジング内の他部品と干渉しないようにランプの薄型化も考慮すると、２〜１０ｍｍ程度が望ましい。
【００２３】
また、導光レンズと背面壁で画成された密閉空間が連通孔，光源収容室および呼吸孔を介して外部空間と連通するので、温度変化により、導光レンズの裏面や背面壁の反射面に結露が発生したり、導光レンズや背面壁が変形したりしない。また、背面壁に呼吸孔を設けることも可能であるが、呼吸孔に防塵・防水手段であるフィルタを装備する必要があり、構造が複雑化するのに対し、導光レンズ側のキャップに連通孔を設ける場合は、構造が複雑化することもない。
【発明の効果】
【００２４】
請求項１に係るサイドターンシグナルランプによれば、点灯時には車両後方への配光量および導光レンズ前面における発光量の双方が高められて車両後方および側方から被視認性に優れたサイドターンシグナルランプが提供される。
【００２５】
また、ＬＥＤユニットアッシーを収容一体化したキャップを導光レンズ基端部の立壁状の枠に取着すれば、導光レンズの光入射端部に対しＬＥＤが自動的に位置決めされるので、サイドターンシグナルランプの組み立てが容易である。
【００２６】
請求項２によれば、ＬＥＤユニットアッシーが収容されている光源収容室の防水性に優れたサイドターンシグナルランプが提供される。
【００２７】
請求項３によれば、非点灯時には奥行き感があって見栄えがよく、しかも防水・防塵性および耐久性に優れたサイドターンシグナルランプが提供される。
【００２８】
また、温度変化により導光レンズの裏面や背面壁の反射面に結露が発生したり導光レンズや背面壁が変形したりすることのない簡潔な構造のサイドターンシグナルランプが提供される。
【図面の簡単な説明】
【００２９】
【図１】本発明の第１の実施例であるサイドターンシグナルランプの正面図である。
【図２】同サイドターンシグナルランプの水平断面図（図１に示す線ＩＩ−ＩＩに沿う断面図）である。
【図３】同サイドターンシグナルランプの縦断面図である。
【図４】導光レンズの背後空間と光源収容室とを連絡する連通孔を示す断  面図である。
【図５】同サイドターンシグナルランプの分解斜視図である。
【図６】第１の従来技術であるサイドターンシグナルランプの水平断面図である。
【図７】第２の従来技術であるサイドターンシグナルランプの水平断面図である。
【発明を実施するための形態】
【００３０】
次に、本発明の実施の形態を実施例に基づいて説明する。
【００３１】
図１〜図５は本発明の一実施例を示し、図１は本発明の第１の実施例であるサイドターンシグナルランプの正面図、図２は同サイドターンシグナルランプの水平断面図（図１に示す線ＩＩ−ＩＩに沿う断面図）、図３は同サイドターンシグナルランプの縦断面図、図４は導光レンズの背後空間と光源収容室とを連絡する連通孔を示す断面図、図５は同サイドターンシグナルランプの分解斜視図である。
【００３２】
これらの図において、符号１０は、サイドミラー本体１４を支持する合成樹脂製のサイドミラーハウジングで、ハウジング１０の湾曲する外側壁１１には、左右に延びる開口部１２が設けられるとともに、外側壁１１の開口部１２内側に横長のサイドターンシグナルランプ２０が組み付け一体化されている。
【００３３】
サイドターンシグナルランプ２０は、基端部側に光入射端部２１ａが形成され、先端部側に光出射端部２１ｂが形成されて、ハウジング１０の湾曲する外側壁１１に略倣った形状に形成された合成樹脂製の導光レンズ２１と、導光レンズ２１の背後に離間するように溶着一体化された合成樹脂製の背面壁２６と、導光レンズ２１の基端部側に凹凸ランス係合により取着されたＬＥＤユニットアッシー３０で主として構成されている。
【００３４】
導光レンズ２１の基端部側には、４個の光入射端部２１ａおよびこれらの光入射端部２１ａを取り囲む立壁状の円筒枠２３が一体成形されており、円筒枠２３には、ＬＥＤユニットアッシー３０が取着されることで、円筒枠２３の内部にＬＥＤ３２を収容した光源収容室Ｓ１が画成されている（図２，４参照）。
【００３５】
ＬＥＤユニットアッシー３０は、４個のＬＥＤ３２を搭載したプリント基板３１がキャップ３４内に収容一体化された構造で、キャップ３４側のフック３４ａが円筒枠２３側の掛止部２３ａに凹凸ランス係合することで、ＬＥＤユニットアッシー３０が導光レンズ２１の基端部側に一体化されるとともに、プリント基板３１が円筒枠２３側のボス（図示せず）に係合することで、ＬＥＤ３２は光源収容室Ｓ１において導光レンズ２１の光入射端部２１ａに正対しかつ接近した所定位置に位置決めされている。符号３３は、プリント基板３１にカシメ固定された後にハンダ溶接された接触端子、符号３６は、円筒枠２３の先端部とキャップ３４天上面間に介装されて、光源収容室Ｓ１を密閉するＯリングである。符号３５は、キャップ３４の天上壁に設けられた、フィルター３５ａを内蔵する円筒形状の呼吸孔で、密閉された光源収容室Ｓ１内を外気に連通させるためのものである。
【００３６】
導光レンズ２１は、光入射端部２１ａから光出射端部２１ｂにかけて（基端部側から先端部側にかけて）徐々に板厚が薄くなるように形成された導光レンズ本体であるレンズ前面部２２を備え、光入射射端部２１ａから導光レンズ２１に入射したＬＥＤ３２の発光のほとんどの光は、導光レンズ２１（レンズ前面部２２）において内面反射を繰り返して導光レンズ２１の先端側に導かれ、光出射端部２１ｂから車体後方に例えば車軸に対し３０度の角度範囲に出射配光され、裏面に縦方向に延びるシリンドリカルステップ２１ｃが形成された光出射端部２１ｂ近傍からは、車体後方に例えば車軸に対し３０〜６０度の角度範囲に出射配光される。また、導光レンズ２１に入射したＬＥＤ３２の発光の一部は、導光レンズ２１の前面側（レンズ前面部２２）から車体側方に放射されて、レンズ前面部２２全体がほんのりと発光する。
【００３７】
レンズ前面部２２の外側縁にはシール脚２４が周設されており、シール脚２４には、開口部１２の周縁部に係合する外側に屈曲したフランジ部２５が円筒枠２３を除いた領域に形成されており、フランジ部２５が開口部１２の周縁部に係合することで、レンズ前面部２２が開口部１２から露呈した形態に組み付けられている。
【００３８】
符号２９は、スポンジやゴム等の弾性材で構成されたプロテクタで、レンズ前面部２２の周りにあって、導光レンズ２１側のフランジ部２５とハウジング１０の開口部１２背面間に介在されて、ハウジング１０（合成樹脂）と導光レンズ２１（合成樹脂）とをがたつかないように保持することで、振動により両者１０，２１が直接当たって騒音が発生することがないように、また、両者１０，２１間に隙間が形成されないように保持することで、風切り音が発生することがないように構成されている。また、プロテクタ２９の基端部側２９ａは幅広Ｔ字型に形成されて、この幅広の基端部側２９ａが導光レンズ２１の円筒枠２３外周に捲回されて、円筒枠２３（光源収容室Ｓ１）からの漏光を防止するようになっている。
【００３９】
背面壁２６は、導光レンズ２１におけるレンズ前面部２２に周設されたシール脚２４に溶着されることで、導光レンズ２１（のレンズ前面部２２）と背面壁２６との間には、水や塵の侵入できない密閉空間Ｓ２が形成されるとともに、サイドターンシグナルランプ２０に作用する振動や衝撃力に対する剛性が高められている。
【００４０】
導光レンズ２１に溶着された背面壁２６は、レンズ前面部２２と略同一の湾曲形状に形成されるとともに、その前面にはアルミ蒸着反射面２７が形成されており、導光レンズの特性からしてレンズ前面部２２裏面からの漏光量がたとえ僅かであっても、この僅かな漏光が反射面２７で反射してレンズ前面部２２に入射することで、導光レンズ２１の車両後方への配光量およびレンズ前面部２２におけるほんのりとした発光量を増加させるように構成されている。
【００４１】
また、レンズ前面部２２と背面壁２６の反射面２７との間には、所定の隙間（密閉空間）Ｓ２が形成されており、これにより、非点灯時のサイドターンシグナルランプ２０に奥行き感が生じる。なお、導光レンズ２１（レンズ前面部２２）の裏面と背面壁２６の反射面２７の離間距離としては、大きく離間させるほどランプ２０の奥行き感が増して好ましいが、サイドミラーハウジング１０内の他部品と干渉しないようにランプ２０の薄型化も考慮すると、２〜１０ｍｍ程度が望ましい。
【００４２】
さらに、背面壁２６の反射面２７には、左右に延びる３本のシリンドリカルステップ２８が上下方向略等間隔に設けられており、ランプ２０の非点灯時には、このシリンドリカルステップ２８が導光レンズ２１（のレンズ前面部２２）を通して帯状のクリスタル模様のように透けて見えて、反射面２７をシリンドリカルステップ２８を設けない平滑面で形成した場合に比べて、ランプ２０の奥行き感が強調されている。
【００４３】
符号２６ａは、背面壁２６に延出形成されている屈曲ブラケットで、ブラケット２６ａの先端部には、ハウジング１０にランプ２０を取り付けるための締結ねじ配設用のねじ挿通孔２６ｂが設けられている。
【００４４】
また、ランプ２０の基端部側に設けられた光源収容室Ｓ１は、キャップ３４に設けた呼吸孔３５を介して外部に連通しているが、導光レンズ２１と背面壁２６で画成された密閉空間Ｓ２は、密閉空間Ｓ２と光源収容室Ｓ１を隔てる隔壁（シール脚２４と円筒枠２３を画成する隔壁）２３ｂに設けられた連通孔３７によって連通している。このため、レンズ前面部２２背後の密閉空間Ｓ２は、連通孔３７，光源収容室Ｓ１および呼吸孔３５を介してランプ外部と連通し、温度変化により、導光レンズ２１の裏面や背面壁２６の反射面２７に結露が発生したり、導光レンズ２１や背面壁２６が変形したりする不具合がない。
【００４５】
なお、前記した実施例では、背面壁２６の反射面２７がアルミ蒸着反射面で構成されているが、第２の実施例としては、背面壁２６の反射面２７を反射塗装面で構成してもよい。
【００４６】
また、前記第１の実施例のアルミ蒸着反射面２７の上に形成するトップコート層や前記第２の実施例の反射塗装面（反射塗装膜）をそれぞれ車体色と略同一色に構成することで、サイドターンシグナルランプ２０に車体との色彩上の統一感をもたせるようにしてもよい。
【符号の説明】
【００４７】
１０  サイドミラーハウジング
１１  ハウジングの外側壁
１２  左右に延びる開口部
２０  サイドターンシグナルランプ
２１  導光レンズ
２１ａ  導光レンズの光入射端部
２１ｂ  導光レンズの光出射端部
２２  レンズ前面部
２３  光源収容室を構成する円筒枠
２３ａ  凹凸ランス係合部を構成する円筒枠側の掛止部
２６  背面壁
Ｓ２  レンズ前面部と背面壁間の隙間
２７  アルミ蒸着反射面
２８  反射面に形成された左右に延びるシリンドリカルステップ
３０  ＬＥＤユニットアッシー
３２  光源であるＬＥＤ
３４  キャップ
３４ａ  凹凸ランス係合部を構成するキャップ側のフック
Ｓ１  光源収容室
３５  呼吸孔
３７  連通孔
【図１】
2010260545.tif 000003
【図２】
2010260545.tif 000004
【図３】
2010260545.tif 000005
【図４】
2010260545.tif 000006
【図５】
2010260545.tif 000007
【図６】
2010260545.tif 000008
【図７】
2010260545.tif 000009